(57)【要約】      （修正有）【課題】データリンク、およびデータ保存機能を揃えたバッテリバックアップ装置を提供する。【解決手段】バッテリバックアップ装置は、第１コネクタと、第２コネクタと、前記第１コネクタによって外部から提供されたデータを前記第２コネクタに伝送するデータラインと、前記データラインと接続し、前記データを選択的に保存する保存部、および前記第１コネクタによって外部から提供された第１電源電圧の入力を受けて充電し、第２電源電圧を前記第２コネクタに出力する充電部を含む。【選択図】図１
2009123177.tif 000002
【特許請求の範囲】
【請求項１】
第１コネクタと、
第２コネクタと、
前記第１コネクタによって外部から提供されたデータを前記第２コネクタで伝送するデータラインと、
前記データラインと接続し、前記データを選択的に保存する保存部、および
前記第１コネクタによって外部から提供された第１電源電圧の入力を受け充電し、充電された電圧の電圧レベルを選択的に調節し、第２電源電圧を前記第２コネクタに出力する充電部を含む、バッテリバックアップ装置。
【請求項２】
前記第１コネクタはＵＳＢ（ｕｎｉｖｅｒｓａｌ  ｓｅｒｉａｌ  ｂｕｓ）コネクタである、請求項１項に記載のバッテリバックアップ装置。
【請求項３】
前記保存部は、
前記第２コネクタに外部装置が接続されていない場合、イネーブルされ、前記データを保存し、
前記第２コネクタに外部装置が接続された場合、ディセイブルされ、前記データを保存しない、請求項１項に記載のバッテリバックアップ装置。
【請求項４】
前記保存部は、
メモリと、
イネーブル信号にイネーブルされ、前記データを前記メモリに保存し、ディセイブル信号にディセイブルされるメモリコントローラを含むが、
前記第２コネクタは、前記外部装置が前記第２コネクタに接続されないと、前記ディセイブル信号を前記メモリコントローラに出力し、前記外部装置が前記第２コネクタに接続されると、前記ディセイブル信号を出力する、請求項３項に記載のバッテリバックアップ装置。
【請求項５】
前記充電部は、
充電バッテリ（ｒｅｃｈａｒｇｅａｂｌｅ  ｂａｔｔｅｒｙ）と、、
前記第１電源電圧を前記充電バッテリに充電する充電制御部を含む、請求項１項に記載のバッテリバックアップ装置。
【請求項６】
前記充電部は、前記充電バッテリに充電された電圧を減圧あるいは昇圧し、前記第２電源電圧に出力するコンバータをさらに含む、請求項５項に記載のバッテリバックアップ装置。
【請求項７】
前記充電部は、第１電源電圧の入力を受け、前記第２電源電圧を出力するダイオードをさらに含む、請求項５項に記載のバッテリバックアップ装置。
【請求項８】
前記第２コネクタが接続情報端子を含む時、
外部装置が前記第１コネクタに接続されたのか可否を表す接続情報を前記接続情報端子に出力する接続情報提供部をさらに含む、請求項１項に記載のバッテリバックアップ装置。
【請求項９】
前記接続情報提供部は、
前記外部装置が前記第１コネクタに接続された時ターンオフされ、前記接続情報端子をフローティングさせ、
前記外部装置が前記第１コネクタに接続されない時ターンオンされ、前記接続情報端子を導通させるスイッチング素子を含む、請求項８項に記載のバッテリバックアップ装置。
【請求項１０】
前記第２コネクタは接続情報端子を含む時、
第１外部装置が前記第２コネクタに接続されると、第２外部装置が前記第１コネクタに接続されたのか可否を表す接続情報を前記接続情報端子によって、前記第１外部装置に出力する接続情報提供部をさらに含む、請求項１項に記載のバッテリバックアップ装置。
【発明の詳細な説明】
【技術分野】
【０００１】
本発明はバッテリバックアップ装置に関するものであり、データリンク、およびデータ保存機能を揃えたバッテリバックアップ装置に関するものである。
【背景技術】
【０００２】
最近携帯用デジタル機器あるいはモバイル機器は、コンピュータとデータ通信によって、各種コンテンツをやり取りする機能を揃えている。
このような携帯用デジタル機器あるいはモバイル機器は、ＵＳＢコネクタのようなコネクタによってコンピュータと接続される。一方、携帯用デジタル機器あるいはモバイル機器のバッテリは短い時間に消耗されるので、必要の度これらを充電するため、バッテリバックアップ装置が開発されている。
【特許文献１】大韓民国公開番号１０−２００６−００９６１５１
【発明の開示】
【発明が解決しようとする課題】
【０００３】
本発明が解決しようとする課題は、データリンク、およびデータ保存機能を揃えたバッテリバックアップ装置を提供するものである。
【０００４】
本発明の技術的課題は以上で言及した技術的課題に制限されず、言及されていないまた他の技術的課題は次の記載から当業者に明確に理解されることができるのであろう。
【課題を解決するための手段】
【０００５】
前記技術的課題を達成するための本発明の一実施形態によるバッテリバックアップ装置は、第１コネクタと、第２コネクタと、前記第１コネクタによって外部から提供されたデータを前記第２コネクタに伝送するデータラインと、前記データラインと接続され、前記データを選択的に保存する保存部、および前記第１コネクタによって外部から提供された第１電源電圧の入力を受けて充電し、第２電源電圧を前記第２コネクタに出力する充電部を含む。
【０００６】
その他実施形態の具体的な事項は詳細な説明、および図に含まれている。
【発明の効果】
【０００７】
前述したような本発明の実施形態によるバッテリバックアップ装置によると、バッテリバックアップ装置がデータリンク、およびデータ保存（あるいはメモリカードリード）機能を揃えているため、ユーザの便宜が増進される。
【発明を実施するための最良の形態】
【０００８】
本発明の利点、および特徴、そして、それらを達成する方法は添付される図面と共に詳細に後述されている実施形態を参照すると、明確になるだろう。
【０００９】
しかし、本発明は以下で開示される実施形態に限定されるものではなく、互いに異なる多様な形態に具現されるものであり、単に本実施形態は本発明の開示が完全にするため、本発明が属する技術分野で通常の知識を有する者に発明の範疇を完全に知らせるため、提供されるものであり、本発明は請求項の範囲によってのみ定義される。明細書全体にかけ、同一参照符号は同一構成要素を指称する。
【００１０】
一つの素子（ｅｌｅｍｅｎｔｓ）が他の素子と"接続された（ｃｏｎｎｅｃｔｅｄ  ｔｏ）"あるいは"カップリングされた（ｃｏｕｐｌｅｄ  ｔｏ）"と指称されるのは、他の素子と直接接続あるいはカップリングされた場合、あるいは中間に他の素子を介在した場合を全て含む。反面、一つの素子が異なる素子と"直接接続された（ｄｉｒｅｃｔｌｙ  ｃｏｎｎｅｃｔｅｄ  ｔｏ）"あるいは"直接カップリングされた（ｄｉｒｅｃｔｌｙ  ｃｏｕｐｌｅｄ  ｔｏ）"と指称されるのは中間に他の素子を介在しないことを表す。明細書全体にかけて、同一参照符号は同一構成要素を指称する。"および／あるいは"は、言及されたアイテムの各々、および一つ以上の全ての組合を含む。
【００１１】
たとえ第１、第２等が多様な素子、構成要素、および／あるいはセクションを叙述するため使用されるが、これら素子、構成要素、および／あるいはセクションは、これら用語によって制限されないことは当然である。これらの用語は単に一つの素子、構成要素あるいはセクションを他の素子、構成要素あるいはセクションと区別するため使用するものである。したがって、以下で言及される第１素子、第１構成要素あるいは第１セクションは本発明の技術的思想内で第２素子、第２構成要素あるいは第２セクションであり得るのは当然である。
【００１２】
本明細書で使用された用語は、実施形態を説明するためであり、本発明を制限するものではない。本明細書で、単数型は文句で特別に言及しない限り複数型も含む。明細書で使用される"含む（ｃｏｍｐｒｉｓｅｓ）"および／あるいは"含む（ｃｏｍｐｒｉｓｉｎｇ）"は言及された構成要素、段階、動作および／あるいは素子は一つ以上の他の構成要素、段階、動作および／あるいは素子の存在あるいは追加を排除しない。
【００１３】
他の定義がなければ、本明細書で使用される全ての用語（技術、および科学的用語を含む）は本発明が属する技術分野で通常の知識を有する者に共通に理解される意味で使用され得るものである。また、一般的に使用される辞典に定義されている用語は明白に特別に定義されていない限り理想的にあるいは過度に解釈されない。
【００１４】
図１ないし図３を参照し、本発明の一実施形態によるバッテリバックアップ装置に対し、説明する。図１は、本発明の一実施形態によるバッテリバックアップ装置を説明するためのブロック図であり、図２は、図１の保存部と第２コネクタの動作を説明するための概念図であり、図３は、図１のバッテリバックアップ装置の変形形態を説明するためのブロック図である。
【００１５】
図１を参照すると、本発明の一実施形態によるバッテリバックアップ装置１は、第１コネクタ１０、第２コネクタ６０、データライン（ＤＭ、ＤＰ）、充電部３５、および保存部５５を含む。このようなバッテリバックアップ装置１は、データリンク、データ保存、メモリカードリード、およびバッテリバックアップ機能をすることができる。以下でバッテリバックアップ装置１の各構成要素とその動作、および機能を具体的に説明する。
【００１６】
まず、バッテリバックアップ装置１がデータを保存する動作、およびメモリカードからリードする動作に対し、説明する。このような場合、バッテリバックアップ装置１は、第１コネクタ１０によって外部装置（未図示）と接続される。この時、第２コネクタ６０には外部装置（未図示）、例えばモバイル機器は接続されえない。以下で第１コネクタ１０と接続される外部装置（未図示）はコンピュータの場合を例にあげ、説明するが、本発明がこれに限定するものではない。
【００１７】
第１コネクタ１０は、第１電源電圧ピン（Ｖ＿１）、第１データピン（ＤＭ＿１、ＤＰ＿１）、および第１グラウンドピン（ＧＮＤ＿１）を含み得る。バッテリバックアップ装置１は、第１コネクタ１０の第１データピン（ＤＭ＿１、ＤＰ＿１）によってコンピュータ（未図示）からデータの入力を受ける。第１データピン（ＤＭ＿１、ＤＰ＿１）によって入力されたデータはデータライン（ＤＭ、ＤＰ）に印加される。また、バッテリバックアップ装置１は、第１コネクタ１０の第１電源電圧ピン（Ｖ＿１）によってコンピュータ（未図示）から第１電源電圧（Ｖｐ１）の入力を受ける。第１グラウンドピン（ＧＮＤ＿１）にはグラウンド電圧が印加される。このような第１コネクタ１０はＵＳＢ（Ｕｎｉｖｅｒｓａｌ  Ｓｅｒｉａｌ  Ｂｕｓ）コネクタであり得る。
【００１８】
保存部５５は、データライン（ＤＭ、ＤＰ）と接続され、コンピュータ（未図示）から提供されたデータを選択的に保存することができる。例えば、保存部５５は、第２コネクタ６０に外部装置（未図示）が接続されない場合にのみデータを保存することができる。このような保存部５５はメモリ５０とメモリコントローラ４０を含み得る。
【００１９】
メモリコントローラ４０は、データライン（ＤＭ、ＤＰ）と接続され、イネーブル信号（ＥＮＢ）の入力を受けてイネーブルされ、データライン（ＤＭ、ＤＰ）からデータの入力を受け、メモリ５０にデータを保存することができる。また、メモリコントローラ４０はディセイブル信号（ＤＩＳ）の入力を受け、ディセイブルされ、データライン（ＤＭ、ＤＰ）からデータの入力を受け得ない。ここでイネーブル信号（ＥＮＢ）あるいはディセイブル信号（ＤＩＳ）は、第２コネクタ６０から提供され得、第２コネクタ６０は、外部装置（未図示）が第２コネクタ６０に接続された場合、ディスイブを信号（ＤＩＳ）を出力し、外部装置（未図示）が接続されない場合、イネーブル信号（ＥＮＢ）を出力することができる。これに関して図２を参照し、さらに具体的に説明する。
【００２０】
図２をさらに参照すると、第２コネクタ６０は、第２、および第３グラウンドピン（ＧＮＤ＿２、ＧＮＤ＿３）を包含み得、第２グラウンドピン（ＧＮＤ＿２）にはグラウンド電圧が印加され、第３グラウンドピン（ＧＮＤ＿３）はメモリコントローラ４０と接続される。ここで、第２コネクタ６０はデジタル機器用標準コネクタであり得る。
【００２１】
外部装置７０、例えばモバイル機器が第２コネクタ６０に接続されると、図２に図示されたように第２グラウンドピン（ＧＮＤ＿２）と第３グラウンドピン（ＧＮＤ＿３）が電気的に接続され、第３グラウンドピン（ＧＮＤ＿３）は、ローレベルのディセイブル信号（ＤＩＳ）をメモリコントローラ４０に提供する。メモリコントローラ４０がイネーブル端子（ＥＮ）によってローレベルのディセイブル信号（ＤＩＳ）の入力を受けると、データライン（ＤＭ、ＤＰ）と接続されたインピーダンス（Ｚ１、Ｚ２）が無限大となってデータが保存部５５で入力されない。したがって、外部装置７０は、第１コネクタ１０に接続されたコンピュータ（未図示）と接続され、バッテリバックアップ装置１は後述するデータリンク機能をするようになる。
【００２２】
モバイル機器７０が第２コネクタ６０から分離されると、第３グラウンドピン（ＧＮＤ＿３）は、第２グラウンドピン（ＧＮＤ＿２）と電気的に分離され、第３グラウンドピン（ＧＮＤ＿３）は、ローレベルのディセイブル信号（ＤＩＳ）を提供しなくなる。このような場合、メモリコントローラ４０は、イネーブルされ、データライン（ＤＭ、ＤＰ）からデータの入力を受け、メモリ５０にデータを保存することができる。    
【００２３】
したがって、バッテリバックアップ装置１は、データを保存する動作をするようになる。
【００２４】
また、バッテリバックアップ装置１は、メモリ５０装置に保存されたデータをデータライン（ＤＭ、ＤＰ）、および第１データ  ピン（ＤＭ＿１、ＤＰ＿１）によって、外部のコンピュータ（未図示）にデータを伝送することができる。
【００２５】
一方、メモリ５０はバッテリバックアップ装置１内部に固定的に具備される内蔵メモリであり得、あるいは着脱式の外装メモリであり得る。例えばメモリ５０が外装メモリの場合、メモリ５０はＳＤカード、ＳＭカード、Ｔ−Ｆｌａｓｈメモリ  カード、ＭＭＣメモリ  カードなどであり得る。
【００２６】
整理し、説明すると、バッテリバックアップ装置１は保存部５５を含み、第１コネクタ１０によって接続された外部のコンピュータ（未図示）からデータの入力を受け、保存し、あるいはメモリ５０に保存されたデータをコンピュータ（未図示）に提供することによってデータを保存するかメモリ５０カードリード動作をすることがができる。
【００２７】
次に、図１を参照し、バッテリバックアップ装置１がデータをリンクする動作を説明する。このような場合、バッテリバックアップ装置１は、第１コネクタ１０によって第１外部装置と接続され、第２コネクタ６０によって第２外部装置と接続される。以下から第１外部装置はコンピュータ（未図示）であり、第２外部装置はモバイル機器（未図示）の場合を例にあげ、説明するが、本発明がこれに限定するものではない。
【００２８】
第２コネクタ６０は、第２データ  ピン（ＤＭ＿２、ＤＰ＿２）（あるいはデータ  パッド）を含み得、第２データピン（ＤＭ＿２、ＤＰ＿２）はデータライン（ＤＭ、ＤＰ）と接続される。したがって、バッテリバックアップ装置１は第１コネクタ１０に接続されたコンピュータ（未図示）と第２コネクタ６０に接続されたモバイル機器（未図示）の間に接続され、データをリンクする役割をする。すなわち、バッテリバックアップ装置１はデータを第１コネクタ１０によってコンピュータ（未図示）から入力を受け、データライン（ＤＭ、ＤＰ）によって第２コネクタ６０に伝送し、第２コネクタ６０によってモバイル機器（未図示）に伝送することができる。また、バッテリバックアップ装置１はデータを第２コネクタ６０によってモバイル機器（未図示）から入力を受け、データライン（ＤＭ、ＤＰ）によって第１コネクタ１０に伝送し、第１コネクタ１０によってコンピュータ（未図示）に伝送することができる。この時、前述したように、モバイル機器（未図示）が第２コネクタ６０に接続されるため、保存部５５はディセイブルされ、データライン（ＤＭ、ＤＰ）のデータを保存しないこともある。
【００２９】
次に、図１を参照し、バッテリバックアップ装置１がバッテリをバックアップする動作に対し、説明する。このような場合、バッテリバックアップ装置１は第２コネクタ６０によって外部装置（未図示）、例えば、モバイル機器と接続される。
【００３０】
まず、充電部３５に対し、説明すると、充電部３５は、充電バッテリ（ｒｅｃｈａｒｇｅａｂｌｅ  ｂａｔｔｅｒｙ）（ＢＡＴ＿ＣＨ）と、第１コネクタ１０から提供された第１電源電圧（Ｖｐ１）を充電バッテリ（ＢＡＴ＿ＣＨ）に充電する充電制御部２０を含む。外部装置（未図示）、例えば、コンピュータが第１コネクタ１０に接続すると、第１電源電圧ピン（Ｖ＿１）によって第１電源電圧（Ｖｐ１）が提供される。充電制御部２０は、第１電源電圧（Ｖｐ１）の入力を受け、充電バッテリ（ＢＡＴ＿ＣＨ）に充電する。ここで充電バッテリ（ＢＡＴ＿ＣＨ）は着脱式であり得る。
【００３１】
充電部３５はＤＣ−ＤＣコンバータ３０をさらに含み得る。ＤＣ−ＤＣコンバータ３０は、充電バッテリ（ＢＡＴ＿ＣＨ）に充電された電圧を選択的に調節し第２電源電圧(Ｖｐ２）を出力し得る。例えばＤＣ−ＤＣコンバータ３０は充電バッテリ（ＢＡＴ＿ＣＨ）に充電された電圧を減圧あるいは昇圧し、第２電源電圧（Ｖｐ２）に提供する。すなわち、モバイル機器（未図示）に必要な電圧と充電バッテリ（ＢＡＴ＿ＣＨ）の電圧が異なる場合、あるいはモバイル機器（未図示）に必要な電圧と第１電源電圧（Ｖｐ１）が異なる場合、ＤＣ−ＤＣコンバータ３０が充電バッテリ（ＢＡＴ＿ＣＨ）に充電された電圧をモバイル機器（未図示）に必要な電源電圧に減圧あるいは昇圧し、出力する。モバイル機器(見図示）に必要な電圧と充電バッテリの電圧が同一な場合、ＤＣ−ＤＣコンバータ３０は充電バッテリに充電された電圧を昇圧／減圧しないことができいる。ＤＣ−ＤＣコンバータ３０は必要によって省略され得る。
【００３２】
このように充電部３５は、外部から第１電源電圧（Ｖｐ１）の入力を受けて充電し、第２電源電圧（Ｖｐ２）を第２コネクタ６０の第２電源電圧ピン（Ｖ＿２）によって外部のモバイル機器（未図示）に提供することができる。したがって、第２コネクタ６０に接続される外部装置（未図示）のバッテリをバックアップすることができる。
【００３３】
また、バッテリバックアップ装置１は、第１コネクタ１０、および第２コネクタ６０によってコンピュータ（未図示）、およびモバイル機器（未図示）と全て接続された場合、コンピュータ（未図示）から入力された第１電源電圧（Ｖｐ１）を第２電源電圧（Ｖｐ２）としてモバイル機器（未図示）に出力することができる。すなわち、バッテリバックアップ装置１は、ダイオード（Ｄ１）を含み、第１電源電圧（Ｖｐ１）の入力を受け、第２電源電圧（Ｖｐ２）を出力する。また、図１に図示されたように、第２コネクタ６０が第１電源電圧ピン（Ｖ＿１）と直接接続された第３電源電圧ピン（Ｖ＿３）をさらに含み、第１電源電圧（Ｖｐ１）をそのままモバイル機器（未図示）に提供することができる。ここでダイオード（Ｄ１）は充電部（３５）内部に具備され得る。また図１にはダイオード（Ｄ１）が一個である場合が例として図示されているが、これに限定されるものではない。
【００３４】
図３を参照し、本発明の他の実施形態によるバッテリバックアップ装置を説明する。図３は、本発明の他の実施形態によるバッテリバックアップ装置を説明するためのブロック図である。
図１に図示された構成要素と同一な機能をする構成要素に対しては同一な図面符号を使用し、説明の便宜上該当構成要素に対する詳細な説明は省略する。
【００３５】
図３を参照すると、バッテリバックアップ装置２はレベルコンバータ４５をさらに含み得る。
したがって、モバイル機器７０が第２コネクタ６０に接続されると、レベルコンバータ４５は第３グラウンドピン（ＧＮＤ＿３）からローレベルのディセイブル信号（ＤＩＳ）の入力を受け、メモリコントローラ４０に提供する。モバイル機器７０が第２コネクタ６０から分離されると、第３グラウンドピン（ＧＮＤ＿３）がフローティングされても、レベルコンバータ４５はハイレベルのイネーブル信号（ＥＮＢ）をメモリコントローラ４０に提供することができる。
【００３６】
また、レベルコンバータ４５は、メモリコントローラ４０のイネーブルあるいはディセイブル動作を制御するため第３グラウンドピン（ＧＮＤ＿３）から提供されるイネーブル信号（ＥＮＢ）あるいはディセイブル信号（ＤＩＳ）の論理レベルを逆に変換させ、メモリコントローラ４０に提供することもできる。
【００３７】
したがって、バッテリバックアップ装置２はモバイル機器７０が第２コネクタ６０に接続されるかの可否によってデータ保存機能を選択的にすることができる。
【００３８】
図４を参照し、本発明のまた違う実施形態によるバッテリバックアップ装置を説明する。図４は、本発明の他の実施形態によるバッテリバックアップ装置を説明するための回路図である。図４で例示的に第１コネクタがＵＳＢコネクタの場合が図示されているが、本発明がこれに限定するものではない。
【００３９】
図４を参照すると、以前の実施形態とは違い、バッテリバックアップ装置３は、第１コネクタ１０に外部装置（未図示）が接続されているかの可否を表す接続情報を第２コネクタ６０の接続情報端子（ＩＤ）に出力する接続情報提供部８０をさらに含む。接続情報提供部８０は第１スイッチング素子（Ｑ１）と抵抗（Ｒｉｄ、Ｒｂ）を含み得る。このようなバッテリバックアップ装置２は、バッテリバックアップ機能をする充電器との接続可否あるいはコンピュータ（未図示）との接続可否などを認識する外部装置（未図示）と使用され得る。
【００４０】
まず、外部装置（未図示）、例えば、モバイル機器が第２コネクタ６０に接続され、第１コネクタ１０には他の外部装置（未図示）、例えば、コンピュータが接続されない場合、すなわち、モバイル機器（未図示）のバッテリをバックアップする場合、接続情報提供部８０はこのような接続情報をモバイル機器（未図示）で知らせる。
【００４１】
さらに具体的に説明すると、第１スイッチング素子（Ｑ１）のベースは第１コネクタ１０のシャーシグラウンド（ＧＮＤ＿ＣＨ）と接続することができ、第１ベース抵抗（Ｒｂ）は第２電源電圧（Ｖｐ２）を第１スイッチング素子（Ｑ１）のベース（ｂａｓｅ）に提供し、ＩＤ抵抗（Ｒｉｄ）は第２コネクタ６０の接続情報端子（ＩＤ）に接続される。
【００４２】
シャーシグラウンド（ＧＮＤ＿ＣＨ）にはコンピュータ（未図示）と接続される場合にグラウンド電圧が印加され、接続されない場合にはグラウンド電圧が印加されないため、第１コネクタ１０に、コンピュータ（未図示）が接続されなければ、第１スイッチング素子（Ｑ１）のベースに第２電源電圧（Ｖｐ２）が提供され、第１スイッチング素子（Ｑ１）はターンオンされる。したがって、ＩＤ抵抗（Ｒｉｄ）は、グラウンド電圧と接続され、接続情報端子（ＩＤ）は導通される。接続情報端子（ＩＤ）によって電流が流れる場合、第２コネクタ６０に接続されたモバイル機器（未図示）は、コンピュータ（未図示）と接続されず、充電部３５と接続されたことを認知し、バッテリをバックアップすることができる。
【００４３】
次に、コンピュータ（未図示）が第１コネクタ１０に接続される場合、シャーシグラウンド（ＧＮＤ＿ＣＨ）にはグラウンド電圧が印加され、第１スイッチング素子（Ｑ１）のベースにはグラウンド電圧が印加される。したがって、第１スイッチング素子（Ｑ１）はターンオフされ、ＩＤ抵抗（Ｒｉｄ）はフローティングされる。接続情報端子（ＩＤ）がフローティングなる場合、第２コネクタ６０に接続されたモバイル機器（未図示）は、コンピュータ（未図示）と接続されたことを認知し、コンピュータ（未図示）とデータをやり取りすることができる。また、コンピュータ（未図示）によってバッテリをバックアップすることもできる。
【００４４】
図５を参照し、本発明のまた他の実施形態によるバッテリバックアップ装置を説明する。
図５は本発明のまた他の実施形態によるバッテリバックアップ装置を説明するための回路図である。図５を参照すると、以前の実施形態とは違い、バッテリバックアップ装置４の接続情報提供部（８１）は、第２スイッチング素子（Ｑ２）、および第２ベース抵抗（Ｒｂｂ）をさらに含む。第２スイッチング素子（Ｑ２）の第２ベース抵抗（Ｒｂｂ）は第１コネクタ１０の第１電源電圧ピン（Ｖ＿１）と接続され、第２スイッチング素子（Ｑ２）のコレクター（ｃｏｌｌｅｃｔｏｒ）は第１スイッチング素子（Ｑ１）のベースと接続される。
【００４５】
まず、コンピュータ（未図示）が第１コネクタ１０に接続されない場合、第２スイッチング素子（Ｑ２）のベースに第１電源電圧（Ｖｐ１）が提供されないため、第２スイッチング素子（Ｑ２）はターンオフされる。したがって第、２電源電圧（Ｖｐ２）が第１スイッチング素子（Ｑ１）のベースに提供され、第１スイッチング素子（Ｑ１）はターンオンされ、接続情報端子（ＩＤ）によって電流が流れるようになる。
【００４６】
次に、コンピュータ（未図示）が第１コネクタ１０に接続された場合、第１電源電圧（Ｖｐ１）が第２スイッチング素子（Ｑ２）に提供され、第２スイッチング素子（Ｑ２）はターンオンされ、第２スイッチング素子（Ｑ２）は第１スイッチング素子（Ｑ１）のベース電圧をプルダウンさせる。したがって、第１スイッチング素子（Ｑ１）はターンオフされ、接続情報端子（ＩＤ）はフローティングなる。
【００４７】
図６を参照し、本発明のまた他の実施形態によるバッテリバックアップ装置を説明する。図６は、本発明のまた他の実施形態によるバッテリバックアップ装置を説明するための回路図である。図６を参照すると、バッテリバックアップ装置（５）は、スイッチングユニット８５をさらに含む。スイッチングユニット８５は、モバイル機器（未図示）が第２コネクタ６０に接続された場合にだけ接続情報提供部８０が接続情報を接続情報端子（ＩＤ）に出力するように制御する。
【００４８】
例えば、さらに具体的に説明すると、スイッチング  ユニット８５を第３グラウンドピン（ＧＮＤ＿３）と接続され、スイッチングユニット８５は、モバイル機器（未図示）が第２コネクタ６０に接続される場合にだけ第３グラウンドピン（ＧＮＤ＿３）からグラウンド電圧の入力を受ける。スイッチングユニット８５はグラウンド電圧が印加される場合にだけ第２電源電圧（Ｖｐ２）を第１スイッチング素子（Ｑ１）のベースに提供する。このような場合、図４を参照し、説明したように、接続情報提供部８０は、コンピュータ（未図示）が第１コネクタ１０と接続されているかの可否により接続情報を接続情報端子（ＩＤ）によってモバイル機器（未図示）に出力することができる。したがって、モバイル機器（未図示）が第２コネクタ６０に接続されない場合、第２電源電圧（Ｖｐ２）を第１スイッチング素子（Ｑ１）に提供しなくなり、電力消費を減らすことができる。
【００４９】
図７を参照し、本発明のまた他の実施形態によるバッテリバックアップ装置を説明する。図７は本発明のまた他の実施形態によるバッテリバックアップ装置を説明するための回路図である。図７を参照すると、バッテリバックアップ装置は６の接続情報提供部８２は第１電源電圧（Ｖｐ１）、および第１グラウンドピン（ＧＮＤ＿１）と接続される。このようなバッテリバックアップ装置２は以前の場合とは違い、モバイル機器（未図示）が接続情報端子（ＩＤ）に電流が流れると、コンピュータ（未図示）と接続されていることを認知し、接続情報端子（ＩＤ）がフローティングされると、コンピュータ（未図示）と接続されず、充電部３５と接続されていることを認知する場合に使用され得る。
【００５０】
さらに具体的に説明すると、コンピュータ（未図示）が第１コネクタ１０に接続されると、第１電源電圧（Ｖｐ１）が第１ベース抵抗（Ｒｂ）、および第３ベース抵抗（Ｒｂｂｂ）によって電圧分配され、第１スイッチング素子（Ｑ１）のベースに提供される。したがって、第１スイッチング素子（Ｑ１）がターンオンされ、接続情報端子（ＩＤ）によって電流が流れるようになる。
【００５１】
コンピュータ（未図示）が第１コネクタ１０に接続されないと、第１スイッチング素子（Ｑ１）のベースにはグラウンド電圧が提供される。したがって、第１スイッチング素子（Ｑ１）がターンオフされ、接続情報端子（ＩＤ）はフローティングされる。
【００５２】
以上前述された実施形態によるバッテリバックアップ装置によると、一つのバッテリバックアップ装置がデータリンク、データ保存、メモリカードリード、およびバッテリバックアップ機能を揃えるようになってユーザの便宜を向上させる。
【００５３】
以上添付された図面を参照し、本発明の実施形態を説明したが、本発明が属する技術分野で通常の知識を有する者は本発明の技術的思想や必須の特徴を変更せず、他の具体的な形態で実施され得るということが理解できるのであろう。したがって、以上で記述した実施形態は全ての面で例示的なものであり、限定的ではないことを理解しなければならない。
【産業上の利用可能性】
【００５４】
本発明はバッテリバックアップ装置に利用され得る。
【図面の簡単な説明】
【００５５】
【図１】本発明の一実施形態によるバッテリバックアップ装置を説明するためのブロック図である。
【図２】図１の保存部と第２コネクタの動作を説明するための概念図である。
【図３】本発明の他の実施形態によるバッテリバックアップ装置を説明するためのブロック図である。
【図４】本発明のまた他の実施形態によるバッテリバックアップ装置を説明するための回路図である。
【図５】本発明のまた他の実施形態によるバッテリバックアップ装置を説明するための回路図である。
【図６】本発明のまた他の実施形態によるバッテリバックアップ装置を説明するための回路図である。
【図７】本発明のまた他の実施形態によるバッテリバックアップ装置を説明するための回路図である。
【符号の説明】
【００５６】
１    バッテリバックアップ装置
１０    第１コネクタ
２０    充電制御部
３０    ＤＣ−ＤＣコンバータ
３５    充電部
４０    メモリコントローラ
４５    レベルコンバータ
５０    メモリ
５５    保存部
６０    第２コネクタ
【図１】
2009123177.tif 000003
【図２】
2009123177.tif 000004
【図３】
2009123177.tif 000005
【図４】
2009123177.tif 000006
【図５】
2009123177.tif 000007
【図６】
2009123177.tif 000008
【図７】
2009123177.tif 000009